(57)【特許請求の範囲】
【請求項１】
ケーブル（１）を用いた屋根構造において、屋根材（２）をケーブルに固定する場合、ケーブル長手方向に連続した、あるいは一部分連続した比較的剛性の低い金具（３）（４）で屋根材（２）を挟み、さらにケーブル（１）を包み込むことを特徴とする金具。
【請求項２】
ケーブル（１）を使った屋根構造において、屋根材（２）をケーブルに固定する場合、ケーブル長手方向に連続した、あるいは一部分連続した比較的剛性の低い金具（３）（４）で屋根材（２）を挟み、さらにケーブル（１）を包み込んだ金具において、その内部空間（５）を、屋根材から漏水があった場合の排水路とすることを特徴とする金具。
【請求項３】
ケーブル（１）を使った屋根構造において、屋根材（２）をケーブルに固定する場合、ケーブル長手方向に連続した、あるいは一部分連続した比較的剛性の低い金具（３）（４）で屋根材（２）を挟み、さらにケーブル（１）を包み込んだ金具において、その外部を樋状（６）に加工し、屋根材から漏水があった場合の排水路とすることを特徴とする金具。
【請求項４】
ケーブル（１）を使った屋根構造において、屋根材（２）をケーブルに固定する場合、ケーブル長手方向に連続した、あるいは一部分連続した比較的剛性の低い金具（３）（４）で屋根材（２）を挟み、さらにケーブル（１）を包み込んだ金具において、その内部空間（５）に雨水の浸入を防止し、あるいは内・外部雰囲気と遮断してケーブルの防食性を向上させることができることを特徴とする金具。
【請求項５】
請求項１から請求項４までのうちいずれかに該当する金具において、雨水侵入防止のために屋根材を挟んだままケーブルから離して曲げ上げることができることを特徴とする金具。
【請求項６】
請求項１から請求項５までのうちいずれかに該当する金具において、材料をプラスチック・木材その他の材料に置き換えたもの。
【発明の詳細な説明】
【０００１】
【発明の属する技術分野】
本発明はケーブルを用いた屋根などにおいて、屋根材を取り付ける金具の構造に関するものである。
【０００２】
【従来の技術】
従来はケーブルに屋根を取り付ける場合は、Ｕボルトなどで屋根材を取り付ける、あるいはケーブルの交点を金具固定しそれに屋根材を取り付けている。
【０００３】
【発明が解決しようとする課題】
ケーブルを使った屋根構造は、軽量でかつ材料も少ないので経済的に施工できる可能性がある。しかしながらケーブルは変形しやすいので、屋根材をケーブルに留める金具も変形追従性が要求される。また変形しやすいために、雨水等の漏水の可能性もある。さらに使用される環境によってはケーブル腐食の可能性がある。
【０００４】
本発明では、ケーブルの変形に追従でき、かつ水が浸入しても排水機能を追加できる、あるいは外気や塩素等のケーブル腐食の恐れがある雰囲気に対しての防食機能を追加できる屋根材取付金具を提案するものである。
【０００５】
さらに、ケーブルを使った屋根構造などにおいて、屋根材はケーブル定着部をかわしたりひさし状に張り出すなど、短い距離はケーブルから離れて自立することを必要とされる場合がある。本発明ではこのような場合にも対応できる、屋根材取付金具を提案するものである。
【０００６】
【課題を解決するための手段】
ケーブル（１）などに、屋根材（２）を取り付ける場合、ケーブルの変形に追従しやすいように比較的剛性の小さな金具（３）（４）をケーブルの上下に沿って配置し、屋根材（２）を挟み込んで留め、さらにケーブル（１）を包み込む構造とする。あるいは金具の外側を樋状に加工する（６）。
【０００７】
この構造は、金具（３）（４）内部に水を通すことができる空間（５）を残しておくことにより、あるいは外側を樋状に加工（６）しておくことにより、屋根材の間隙から浸水した場合に、ケーブルに沿って長手方向へ水を導くことができる。
【０００８】
また金具のケーブルを包み込む空間の端部（７）をシールして外部と遮断するか全長をシールあるいは防食材でグラウトする事によりケーブルの防食性を高めることができる。
【０００９】
さらに、ケーブル（１）を用いた屋根の上部（８）および下部（９）において、屋根材（２）を挟んだままの金具（３）（４）をケーブル（１）から離して曲げることより、ケーブル定着部（１２）をかわすことができる。この場合、ケーブルと金具の交差するところは、金具を切り欠く構造とする。
【００１０】
ひさし（１３）状に張り出した場合やケーブルを必要としない程度の短支間の場合あるいは他の構造物に支えられた場合などにおいて、比較的剛性は小さいが自立する金具にて屋根材を挟み、その内部に空間（５）を残した構造とするか、あるいは外側を樋状に加工（６）しておくことにより、漏水があった場合の排水路とする。
【００１１】
【発明の実施の形態】
本発明の実施形態に関して、図面を参照して説明する。
図１、図４において、ケーブル両側の屋根材（２）を比較的剛性が小さい連続したあるいはほぼ連続した金具（３）（４）で挟み込むとともにケーブルを包み込み、ボルト（１０）およびナット（１１）で固定している。また、図５、図６においても金具（３）（４）は屋根材（２）を挟み込むとともにケーブル（１）も包み、ボルト（１０）およびナット（１１）で固定している。
【００１２】
図４、図６においては金具の内部に、図５においては金具の外部に屋根材と連なり、かつケーブルに沿って長手方向に連続する空間がある。この空間を漏水量に合わせた大きさとすることにより、浸入した水を下金具に沿って低い方へに流し、構造物の外部へ排水できる。
【００１３】
図７において、ケーブル（１）を包んでいる金具（３）（４）の両端（７）を建物内部の雰囲気に対してシールあるいは防食材で全長をグラウトすることによりケーブル（１）の防食性を高めることができる。
【００１４】
図７において屋根の上部（８）及び下部（９）では、ケーブルの定着部（１２）をかわすために、金具（３）（４）は屋根材（２）を挟んだまま曲がり、ケーブル（１）から離れている。図７において金具とケーブルが交差するところでは、金具を切り欠くものとする。この場合、水が樋部（６）を通ってくる場合は曲げ上げた金具に沿ってひさし部（１３）の先端まで導かれる。また、内部空間（５）を通ってくる場合は別途に樋などで受けるものとする。
【００１５】
図８は本発明の取付金具をケーブルを包まない場合に使用する例を示す。この様にすると、ひさし部（１３）やケーブルを必要としない程度の短い距離、あるいは既設構造物の上に屋根を葺く場合などにおいて、金具（３）（４）で屋根材を挟んで屋根材の継手とし、その内部の空間（５）を利用して浸入した水を排出できる。
【００１６】
【発明の効果】
本発明は、以上説明したように構成されているために、以下の効果がある。
【００１７】
ケーブルに屋根材を取り付ける場合、ケーブルの変形に追従しやすく、かつ必要に応じて漏水排出機能あるいはケーブルの耐食性向上機能を追加でき、さらにひさし（１３）状の張り出しや短支間の場合、あるいは既設構造物の上に屋根を葺く場合においては、ケーブルから離れてあるいはケーブル無しで屋根面を構成できる。
【図面の簡単な説明】
【図１】本発明屋根材取付金具の実施例その１の全体を示す断面図である。
【図２】本発明屋根材取付金具の実施例その１の全体を示す平面図である。
【図３】本発明屋根材取付金具の実施例その１の全体を示すケーブル長手方向の側面図である。
【図４】本発明屋根材取付金具の実施例その１を示す詳細断面図である。
【図５】本発明屋根材取付金具の実施例その２、外部に樋がある場合を示す詳細断面図である。
【図６】本発明屋根材取付金具の実施例その３を示す詳細断面図である。
【図７】本発明屋根材取付金具の実施例その１を取付た例を示すケーブル長手方向の断面図である。ケーブルと屋根材が離れる場合の概念を示す図でもある。
【図８】本発明屋根材取付金具でケーブルを包まない場合の実施例を示す詳細断面図である。
【図９】本発明屋根材取付金具の実施例その１を示す全体俯瞰図である。
【図１０】本発明屋根材取付金具の実施例その１を示す詳細俯瞰図である。
【符号の説明】
１    ケーブル
２    屋根材
３    上金具
４    下金具
５    内部空間
６    樋部
７    空間端部
８    屋根上部
９    屋根下部
１０    ボルト
１１    ナット
１２    ケーブル定着部
１３    ひさし部
【図１】
0003716368.tif 000002
【図２】
0003716368.tif 000003
【図３】
0003716368.tif 000004
【図４】
0003716368.tif 000005
【図５】
0003716368.tif 000006
【図６】
0003716368.tif 000007
【図７】
0003716368.tif 000008
【図８】
0003716368.tif 000009
【図９】
0003716368.tif 000010
【図１０】
0003716368.tif 000011